(57)【要約】      （修正有）【課題】表示している画像のデータの種類を判断し、その種類に応じてデータを拡大させて表示できる表示装置を提供する。【解決手段】入力されたデータに基づく画像を表示する画像表示部１５を備え、１以上のデータに基づく画像を画像表示部１５における同一画面上に表示する表示装置である。そして、入力されたデータの種類を認識するデータ入力判定部１０と、画像表示部１５に表示されている画像に対応するデータの中から所定のデータを選択する操作部３と、入力されたデータに基づく画像を９０度回転させて画像表示部１５に拡大表示させる制御を行う回転表示制御部１６・拡大表示制御部１７と拡大表示制御部１７による制御に基づいて表示を行うかを決定する画像回転判定部１３とを備えている。【選択図】図１
2005156627.tif 000002
【特許請求の範囲】
【請求項１】
入力されたデータに基づく画像を表示する表示部を備え、１以上のデータに基づく画像を前記表示部における同一画面上に表示する表示装置であって、
入力されたデータの種類を認識する入力データ認識手段と、
前記表示部に表示されている画像に対応するデータの中から所定のデータを選択するデータ選択手段と、
入力されたデータに基づく画像を９０度回転させて前記表示部に拡大表示させる制御を行う回転表示制御手段と、
入力されたデータに基づく画像を回転させずに前記表示部に拡大表示させる制御を行う拡大表示制御手段と、
前記データ選択手段によって選択されたデータに関する前記入力データ認識手段によるデータの種類の認識結果に基づいて、該選択されたデータを、前記回転表示制御手段による制御に基づいて表示を行うか、前記拡大表示制御手段による制御に基づいて表示を行うかを指示する表示判定手段とを備えたことを特徴とする表示装置。
【請求項２】
前記表示部が、表示画面の上部がその側部となるように本体部に対して９０度回転する構成になっており、
前記表示部の回転を検知する表示回転検知手段をさらに備え、
前記表示回転検知手段が、前記表示部の回転を検知した場合、
前記表示判定手段が、前記データ選択手段によって選択されたデータを、前記回転表示制御手段による制御に基づいて表示を行うように指示することを特徴とする請求項１に記載の表示装置。
【請求項３】
前記データ選択手段が、ユーザからの指示を検知して前記データを選択することを特徴とする請求項１または２に記載の表示装置。
【請求項４】
所定の画像を表示させる時間を告知するアラーム処理手段をさらに備えており、
前記表示判定手段が、アラーム処理手段からの告知を受けると、所定の画像のデータに関して、前記入力データ認識手段によるデータの種類の認識結果に基づいて、前記所定の画像のデータを、前記回転表示制御手段による制御に基づいて表示を行うか、前記拡大表示制御手段による制御に基づいて表示を行うかを決定することを特徴とする請求項１〜３のいずれか１項に記載の表示装置。
【請求項５】
前記表示部に画像の表示を行っているデータのうち、少なくとも１つのデータが、外部からのデータの受信とほぼ同時に表示を行うリアルタイム動画データであり、
前記リアルタイム動画データの受信状態を検知する受信状態検知手段をさらに備え、
前記受信状態検知手段が、受信状態が悪くなっていることを検知した場合に、前記データ選択手段が、前記リアルタイム動画データ以外の入力されているデータの画像を選択することを特徴とする請求項１〜４のいずれか１項に記載の表示装置。
【請求項６】
入力されたデータに基づく画像を表示する表示部を備え、１以上のデータに基づく画像を前記表示部における同一画面上に表示する表示装置における画像表示方法であって、
入力されたデータの種類を認識するステップと、
前記表示部に表示されている画像に対応するデータの中から所定のデータを選択するステップと、
前記データを選択するステップにおいて選択されたデータに関する、前記入力されたデータの種類を認識するステップによるデータの種類の認識結果に基づいて、該選択されたデータの画像を、９０度回転させて前記表示部に拡大表示させるか、回転させずに前記表示部に拡大表示させるかを決定するステップとを含んでいることを特徴とする画像表示方法。
【請求項７】
請求項１〜５の何れか１項に記載の表示装置を備えた携帯電話装置。
【請求項８】
電話の着信またはメールの着信があった場合に、前記表示装置が備える前記データ選択手段が、予め設定されているデータの画像を選択することを特徴とする請求項７に記載の携帯電話装置。
【請求項９】
請求項１〜５の何れか１項に記載の表示装置を動作させるためのプログラムであって、コンピュータを上記各手段として機能させるための画像表示プログラム。
【請求項１０】
請求項９に記載の画像表示プログラムが記録されたコンピュータの読み取り可能な記録媒体。
【発明の詳細な説明】
【技術分野】
【０００１】
本発明は、映像データやテキストデータなどの表示用データを表示する表示装置に関するものである。特には、複数の情報ソースを有する表示用データを表示する表示装置に関する。
【背景技術】
【０００２】
近年、技術の進歩や、ユーザの要望の多様化に伴い、携帯電話装置は、高性能化、多機能化が進んでいる。例えば、携帯電話装置は、従来からの音声通話、データ通信など通信機能にかかる機能のみならず、ゲーム、スケジューラ、カメラ、および音楽再生機能等の機能も付加されるようになってきている。さらには、地上波デジタルテレビジョン放送の受信機能を有した携帯電話装置が開発され始めている。
【０００３】
このように、携帯電話装置において、表示を所望される情報が増加しているにもかかわらず、携帯電話装置に備えられた表示装置の大きさには限界がある。すなわち、携帯電話装置は、持ち運ぶことを前提に設計されているので、表示画面を含め装置全体がコンパクトに設計されている。このため、携帯電話装置には、持ち運びに支障のきたさない程度の、限られた大きさの表示画面しか備えることができないという問題がある。
【０００４】
ところで、表示画面における表示領域を分割させることによって、表示画面に表示する情報量を増やすことができる表示装置が提案されている。例えば、この表示領域を分割させる表示装置としては、ピクチャ・イン・ピクチャ（ＰＩＰ）機能を用いた表示装置がある。（例えば、特許文献１）。
【０００５】
この表示装置は、親画面（第１表示領域）と子画面（第２表示領域）との複数の表示領域を同一画面上で表示できるため、表示可能な情報量を増やすことができる。また、この表示装置は、親画面と子画面とが重なる領域について、子画面の位置情報を取得し、親画面のデータを再配置することで、どちらの表示領域の情報も損なわずに表示させることを可能とする。図１１は、この表示装置における要部構成のブロック図を示す。
【０００６】
この図に示すように、この表示装置は、テレビ信号を受信するためのテレビ信号受信部１１２と、ＷＷＷデータを受信するＷＷＷデータ受信部１１３と、この表示装置の各種処理を制御する処理部１１１と、表示データを表示する画像表示部１１４とを備えている。そして、この表示装置は、ＷＷＷデータを親画面で表示し、テレビ放送データを子画面において表示できるものである。なお、親画面の表示は、ＷＷＷデータ受信部１１３で受信したデータに基づき、ブラウザ処理部１１９によって表示データとして、ＰＩＰ処理部１１５に送信される。そして。このデータは、画像表示部１１４に送られ、表示されている。
【０００７】
また、親画面と子画面との表示は、テレビ信号受信部１１２で受信したデータと、ブラウザ処理部１１９からのデータとをＰＩＰ処理部１１５で、２画面表示可能となるように処理されることによって実現される。そして、親画面と子画面とで表示を行う場合は、子画面有無検出部１１６と子画面位置検出部１１７とからのデータに基づき、データ表示制御部１１８が、第１表示領域に表示しているＷＷＷデータを、第２表示領域の配置位置を考慮して再配置するようにブラウザ処理部１１９に指示を出す。
【０００８】
このようにして、この表示装置は、１画面で親画面（第１表示領域）と子画面（第２表示領域）とを同時に表示でき、さらに、どちらの表示領域の情報も損なうことなく表示させることを可能とする。
【０００９】
ところが、携帯電話装置の表示画面において、このようにデータを複数の表示領域において表示した場合、表示可能な全体の表示領域が小さいため、各表示領域で表示されるデータの画像も、小さくなってしまう。したがって、この表示画面では、分割されている表示領域のうちの何れかを、ユーザの必要に応じて拡大して表示できることが好ましい。
【特許文献１】特開平１１−１１２９０５号公報（１９９９年４月２４日公開）
【発明の開示】
【発明が解決しようとする課題】
【００１０】
しかしながら、従来の表示装置では、例えば、携帯電話装置に一般的に備えられているような、縦長の表示画面では適切に映像データを拡大させて表示することができないという問題を生じる。
【００１１】
具体的には、従来の表示装置において、例えば映像データのように、表示における縦横比が規定されているデータを表示する場合、このデータは、表示装置の表示画面内に収まるように、縮小されて表示される。また、映像データは、テレビやＬＣＤモニタ等によって表示されることを想定されたデータであり、その表示領域は横長となる。
【００１２】
一方、携帯電話装置の表示画面は、縦長形状の表示画面が一般的である。このため、このような表示画面において、映像データを表示させる場合、映像データが、この表示画面の横サイズに合わせて表示されるとき、表示される映像データは、その表示画面の表示可能な領域を十分に利用した表示とはならず、その映像は、ほとんど拡大されたものとはならない。また、この表示装置において、映像データが、表示画面の縦サイズにあわせて表示される場合、表示画面で表示される映像は、左右の映像が欠損したものとなる。このように、従来の表示装置が、携帯電話装置などに備えられている場合、この表示装置では、表示画面に表示されている映像データを拡大して視聴したいというユーザの要望を、十分に満たすことができない。
【００１３】
本発明は、上記の問題点に鑑みてなされたものであり、その目的は、表示しているデータの種類を判断し、その種類に応じてデータを拡大させて表示できる表示装置を提供することである。
【課題を解決するための手段】
【００１４】
本発明にかかる表示装置（本表示装置）は、入力されたデータに基づく画像を表示する表示部を備え、１以上のデータに基づく画像を前記表示部における同一画面上に表示する表示装置であって、入力されたデータの種類を認識する入力データ認識手段と、前記表示部に表示されている画像に対応するデータの中から所定のデータを選択するデータ選択手段と、入力されたデータに基づく画像を９０度回転させて前記表示部に拡大表示させる制御を行う回転表示制御手段と、入力されたデータに基づく画像を回転させずに前記表示部に拡大表示させる制御を行う拡大表示制御手段と、前記データ選択手段によって選択されたデータに関する前記入力データ認識手段によるデータの種類の認識結果に基づいて、該選択されたデータを、前記回転表示制御手段による制御に基づいて表示を行うか、前記拡大表示制御手段による制御に基づいて表示を行うかを指示する表示判定手段とを備えたことを特徴としている。
【００１５】
また、本表示装置は、上記の構成において、前記表示部が、表示画面の上部がその側部となるように本体部に対して９０度回転する構成になっており、前記表示部の回転を検知する表示回転検知手段をさらに備え、前記表示回転検知手段が、前記表示部の回転を検知した場合、前記表示判定手段が、前記データ選択手段によって選択されたデータを、前記回転表示制御手段による制御に基づいて表示を行うように指示する構成としてもよい。
【００１６】
また、本表示装置は、上記の構成において、上記データ選択手段が、ユーザからの指示を検知して前記データを選択する構成としてもよい。
【００１７】
また、本表示装置は、上記の構成において、所定の画像を表示させる時間を告知するアラーム処理手段をさらに備えており、前記表示判定手段が、アラーム処理手段からの告知を受けると、所定の画像のデータに関して、前記入力データ認識手段によるデータの種類の認識結果に基づいて、前記所定の画像のデータを、前記回転表示制御手段による制御に基づいて表示を行うか、前記拡大表示制御手段による制御に基づいて表示を行うかを決定する構成としてもよい。
【００１８】
また、本表示装置は、上記の構成において、前記表示部に画像の表示を行っているデータのうち、少なくとも１つのデータが、外部からのデータの受信とほぼ同時に表示を行うリアルタイム動画データであり、前記リアルタイム動画データの受信状態を検知する受信状態検知手段をさらに備え、前記受信状態検知手段が、受信状態が悪くなっていることを検知した場合に、前記データ選択手段が、前記リアルタイム動画データ以外の入力されているデータの画像を選択する構成としてもよい。
【００１９】
本発明にかかる画像表示方法は、入力されたデータに基づく画像を表示する表示部を備え、１以上のデータに基づく画像を前記表示部における同一画面上に表示する表示装置における画像表示方法であって、入力されたデータの種類を認識するステップと、前記表示部に表示されている画像に対応するデータの中から所定のデータを選択するステップと、前記データを選択するステップにおいて選択されたデータに関する、前記入力されたデータの種類を認識するステップによるデータの種類の認識結果に基づいて、該選択されたデータの画像を、９０度回転させて前記表示部に拡大表示させるか、回転させずに前記表示部に拡大表示させるかを決定するステップとを含んでいることを特徴としている。
【００２０】
本発明にかかる携帯電話装置は、上記何れかに記載の表示装置を備えていることを特徴としている。
【００２１】
また、前記携帯電話装置は、上記の構成において、電話またはメールの着信があった場合に、前記表示装置が備える前記データ選択手段が、予め設定されているデータの画像を選択する構成としてもよい。
【００２２】
本発明にかかる画像表示プログラムは、上記何れかに記載の表示装置を動作させるためのプログラムであって、コンピュータを上記各手段として機能させることを特徴としている。
【００２３】
本発明にかかる記録媒体は、上記画像表示プログラムが記録されたコンピュータが読み取り可能であることを特徴としている。
【発明の効果】
【００２４】
本発明にかかる表示装置（本表示装置）は、データを視聴できるように表示する、例えば、携帯電話装置や、ＰＣ等に備えられたモニタである。
そして、この表示装置は、入力されたデータに基づく画像を表示する表示部を備え、１以上のデータに基づく画像を前記表示部における同一画面上に表示する。
【００２５】
入力されたデータとは、表示画面に表示させる画像のデータであって、例えば、表示装置の本体部にある記憶装置に格納されているデータや、外部から受信したデータなどである。
このデータには、例えば、テレビ放送データや、ＷＷＷデータ、テキストデータ、ＪＰＥＧ（Joint Photographic Experts Group）形式等で符号化された静止画データなど、異なるソースから取得したものが含まれる。
【００２６】
また、この表示部は、例えばＥＬＤ（Elect luminescence display）、ＬＣＤ(Liquid crystal display)などであって、例えば、ＰＩＰ機能によって同一画面上に１つ以上の画像を表示することができる。なお、ＰＩＰ機能とは、親画面（第１表示領域）と子画面（第２表示領域）との複数の表示領域を同一画面上で表示できる公知技術である。
【００２７】
本表示装置は、入力されたデータの種類を認識する入力データ認識手段と、前記表示部に表示されている画像に対応するデータの中から所定のデータを選択するデータ選択手段と、入力されたデータに基づく画像を９０度回転させて前記表示部に拡大表示させる制御を行う回転表示制御手段と、入力されたデータに基づく画像を回転させずに前記表示部に拡大表示させる制御を行う拡大表示制御手段と、前記データ選択手段によって選択されたデータに関する前記入力データ認識手段によるデータの種類の認識結果に基づいて、該選択されたデータを、前記回転表示制御手段による制御に基づいて表示を行うか、前記拡大表示制御手段による制御に基づいて表示を行うかを決定する表示判定手段とを備えている。
【００２８】
上記入力データ認識手段は、本表示装置に入力されたデータの種類を認識し、その各データがどの表示領域に表示されているかを把握しているとともに、表示が所望されるデータを表示制御手段に送信するものである。
【００２９】
ここで、データの種類とは、例えば入力されたデータが、テレビ放送データや、ＷＷＷデータ、テキストデータ、ＪＰＥＧ（Joint Photographic Experts Group）形式等で符号化された静止画データなど、どのようなデータであるのかということである。入力データ認識手段は、どの表示領域にどのようなデータの種類が表示されるかということを認識している。
【００３０】
また、入力データ認識手段は、入力されたデータを認識した後、そのデータを必要な表示制御に対応する表示制御手段に送信する。
【００３１】
ここで、必要な表示制御に対応する表示制御手段とは、例えば、画像を回転して拡大表示する場合、入力データ認識手段は上記画像回転表示手段にデータを送信し、画像を拡大のみして表示する場合、上記拡大表示制御手段にデータを送信する。
【００３２】
なお、入力データ認識手段が、どの表示制御手段にデータを送信するかの選択は、上記表示判定手段からの指示によって決まる。
【００３３】
上記データ選択手段は、どの表示領域に表示されている画像を拡大させるか選択するものである。この選択手段は、例えば映像データの入力があれば、常にこのデータを選択するように予め設定されていてもよいし、常に第１表示領域に表示されるデータを選択するように予め設定されていてもよい。また、例えばユーザ等、外部からの選択指示に応じて選択されるものでもよい。
【００３４】
また、拡大表示制御手段は、画像を拡大させて表示させるものである。例えば、テキストデータによる画像を拡大して表示させる場合は、表示領域全体にテキストが表示されるように、このテキストデータを再配置して表示する。すなわち、表示領域の拡大された部分にもテキストが表示されるように、テキストを構成する文字の行数や桁数を変えて表示しなおす。
また、例えば、拡大させるデータが映像データであるときは、このデータに基づく画像が表示領域内に収まる最大サイズとなるように処理される。すなわち、この映像データは、自身の縦横比を保ったまま、表示領域の縦および横の長さを考慮して、表示領域内に収まる範囲で、最大となるサイズまで拡大される。
【００３５】
また、回転表示制御手段は、画像を９０度回転させ拡大して表示させるようにデータを制御するものである。すなわち、この回転表示制御手段は、表示部に表示している画像の座標が、９０度回転して移動した座標位置となるようにデータを処理する。そして、このように回転移動させられた画像は、拡大され表示される。
【００３６】
表示判定手段は、上記入力データ認識手段によるデータの種類の認識結果に基づいて、上記選択手段によって選択された画像のデータに対して、どのように拡大処理を行うか決定するものである。すなわち、表示判定手段は、選択された画像が例えば、映像データのように縦横比が決まっている横長サイズのデータであって、表示領域が縦長である場合は、その画像を９０度回転させて拡大させるように決定する。また、選択された画像が例えば、テキストデータのように表示されるテキスト文字の再配置可能なデータの場合は、このデータの表示領域を拡大させて、拡大した表示領域に合わせてこの文字の桁数や行数を変えて表示するように決定する。
【００３７】
このように、本表示装置は構成されているため、異なる種類のデータに応じて、画像の回転表示、画像の拡大表示を可能とする。すなわち、拡大を行う画像のデータが、縦横サイズが規定されている映像データである場合、表示部の表示領域のサイズによって、拡大表示ができない場合は、その映像データを９０度回転させて、拡大して表示させることができる。
【００３８】
したがって、本表示装置は、例えば、携帯電話装置などのように、表示領域が小さく、また縦長の表示領域である装置においても、データの種類に応じて、適切な拡大表示が行われるという効果を奏す。
【００３９】
また、本表示装置は、前記表示部が、表示画面の上部がその側部となるように本体部に対して９０度回転する構成になっており、前記表示部の回転を検知する表示回転検知手段をさらに備え、前記表示回転検知手段が、前記表示部の回転を検知した場合、前記表示判定手段が、前記データ選択手段によって選択されたデータを、前記回転表示制御手段による制御に基づいて表示を行うように指示する構成としてもよい。
【００４０】
ここで表示部が９０度回転するとは、この表示部だけが本体部との接合部分において表示部の画面の中心点を軸として、９０度回転移動することである。このように表示部が回動自在となっていることによって、表示部の回転にともなって、表示部に表示される画像も一緒に回転してしまうため、例えば、画像の上底が、表示部の回転後は、表示部の左側部に、下底が表示部の右側部に表示されるようになる。
【００４１】
表示回転検知手段は、この表示部の回転を検知するものである。この回転は、表示部の回転角が規定の角度に達した場合、検知される。なお、この規定の角度とは略９０度である。
【００４２】
上記表示判定手段は、表示回転検知手段の検知結果、および入力データ認識手段の検知結果に基づいて、上記回転表示制御手段によって、表示画像を回転させて表示しなおすように制御をおこなう。
【００４３】
本表示装置は、このような構成であるため、表示部が回転した場合、自動的に表示部に表示している画像の表示位置を調整し、その画像を拡大して表示することができるという効果を奏する。
【００４４】
また、本表示装置は、上記構成において、さらに前記データ選択手段が、ユーザからの指示を検知して前記データを選択することができる。
この画像選択手段は、例えば、ユーザが操作キーなどの外部入力手段を用いて、表示されている画像の中から特定の画像を選択した場合、そのユーザの選択を検知することができるものである。
【００４５】
このため、本表示装置は、ユーザが、操作キー等外部入力手段を用いて、表示画像を選択して、画像のデータの種類に基づいた拡大を適切に行うことができるという効果を奏する。
【００４６】
また、本表示装置は、上記構成において所定の画像を表示させる時間を告知するアラーム処理手段をさらに備えており、前記表示判定手段が、アラーム処理手段からの告知を受けると、所定の画像のデータに関して、前記入力データ認識手段によるデータの種類の認識結果に基づいて、前記所定の画像のデータを、前記回転表示制御手段による制御に基づいて表示を行うか、前記拡大表示制御手段による制御に基づいて表示を行うかを決定する表示判定手段とを備える。
【００４７】
このアラーム処理手段とは、所定の時間になった場合に所定の画像を表示するように知らせるものである。この所定時間とは、ユーザによって予め設定されている時間である。
また、所定の画像のデータとは、予め所定の時間になったら表示させる画像のデータである。このデータは、例えばユーザによって予め決められているデータであってもよいし、本表示装置自身が保持しているデータから任意に選択されたデータであってもよい。また、所定の時間に受信した例えばテレビ放送データでもよい。
【００４８】
上記アラーム処理手段から所定の時間になったことを知らされると、上記表示判定手段は、所定のデータに関する入力データ認識手段の認識結果に基づき、その画像の表示に関する決定を行う。つまり、表示判定手段は、所定のデータを、前記回転表示制御手段による制御に基づいて表示を行うか、前記拡大表示制御手段による制御に基づいて表示を行うかを決定する。
【００４９】
なお、上記アラーム処理手段から表示判定手段への所定時間の告知は、所定時間になった場合、アラーム処理手段からそのことを知らせる制御信号を表示制御手段に伝送することで実現できる。
【００５０】
このように、本表示装置は、外部入力手段を用いて、画像を選択することなく、所定の時間に所定の画像を表示させることができる。
【００５１】
したがって、本表示装置は、所定の時間になったら自動的に所定の画像を拡大して表示させることによって、ユーザに対して所定時間になったことを知らせる効果を奏する。
【００５２】
本表示装置は、上記構成において、前記表示部に画像の表示を行っているデータのうち、少なくとも１つのデータが、外部からのデータの受信とほぼ同時に表示を行うリアルタイム動画データであり、前記リアルタイム動画データの受信状態を検知する受信状態検知手段をさらに備え、前記受信状態検知手段が、受信状態が悪くなっていることを検知した場合に、前記データ選択手段が、前記リアルタイム動画データ以外の入力されているデータの画像を選択する構成としてもよい。
【００５３】
このように、本表示装置は、リアルタイム動画データの受信状態が悪くなった場合は、該リアルタイム動画データ以外のデータの画像を表示させることで、表示状態が良好な状態を保つことが可能となる。よって、画面を視聴するユーザに対する利便性を向上させる効果を奏する。
【００５４】
本発明にかかる表示方法（本表示方法）は、入力されたデータの種類を認識するステップと、前記表示部に表示されている画像に対応するデータの中から所定のデータを選択するステップと、前記データを選択するステップにおいて選択されたデータに関する、前記入力されたデータの種類を認識するステップによるデータの種類の認識結果に基づいて、該選択されたデータの画像を、９０度回転させて前記表示部に拡大表示させるか、回転させずに前記表示部に拡大表示させるかを決定するステップとを含んでいる方法である。
【００５５】
したがって、本表示方法は、例えば、表示領域が小さく、また縦長の表示領域である装置においても、データの種類に応じて、適切な拡大表示が行われるとういう効果を奏す。
【００５６】
本発明にかかる携帯電話装置は、上記記載の表示装置を備えている。
【００５７】
このため、表示領域が小さく、また縦長の表示領域である携帯電話装置の表示画面において、複数の画像を表示している場合であっても、ユーザは、データの種類に応じて、適切な拡大表示を行うことができる。このため、ユーザは、表示が小さいために視聴しにくい画像に対して好適に拡大させて視聴できるという効果を奏す。
【００５８】
また、前記携帯電話装置は、上記の構成において、電話の着信またはメールがあった場合に、前記表示装置が備える前記データ選択手段が、予め設定されているデータの画像を選択する構成としてもよい。
【００５９】
この場合、予め設定されているデータとして、例えばテキストデータが設定されていれば、例えば動画とテキストデータとを両方表示している際に電話の着信があった場合に、テキストデータが選択されることによって動画の表示が停止されることになる。これにより、動画による音声によって、電話の着信に気づかなかったり、通話中に動画の音声が邪魔になったり、というような不具合を解消することができる。
【発明を実施するための最良の形態】
【００６０】
本発明の一実施形態について説明する。
本実施の形態にかかる携帯電話装置１（本携帯電話装置）は、複数の入力データ（入力データストリーム）に基づいて、それぞれのデータに応じた画像を、同一画面上に複数表示できる表示装置を備えたものである。
【００６１】
図１は、本携帯電話装置１の要部構成を示すブロック図である。また、図２は、処理部２における、表示制御部１４の要部構成を示すブロック図である。
図１に示すように、本携帯電話装置１は、操作部３、ヒンジ回転検出センサ４、チューナ５、記憶部６、通信部７、処理部２、および画像表示部１５を備えている。
【００６２】
操作部３は、例えば、操作キーなどによってユーザが所望する操作指示を本携帯電話装置１に対して行うことを可能とするものであり、このユーザの入力は、この操作部３から制御信号として処理部２に送信される。
【００６３】
ヒンジ回転検出センサ４は、本携帯電話装置１の表示部５０１と本体部５０３との間を接合するヒンジ部５０２の回転を検知するセンサである。なお、このヒンジ部５０２の回転検知と、それにかかる画像表示の処理については後述する。
【００６４】
チューナ５は、外部からテレビ放送信号を受信可能とするものである。すなわち、チューナ５は、外部からテレビ放送信号を受信するアンテナ、および受信した信号をデコードするデコーダなどを備えている。なお、受信する放送信号は、アナログ放送でもデジタル放送でもよい。
【００６５】
上記記憶部６は、外部から取得したデータ等を記憶しているものであり、読み書き可能な不揮発性記憶装置である。この記憶部６は、例えば、画像データやテキストデータなど本携帯電話装置１において表示可能なデータを記憶しており、必要に応じて格納しているこのデータは、処理部２に読み出される。さらに、記憶部６は、データ入力判定部１０によって認識されたデータに関する認識結果を記録する管理テーブル２０を含んでいる。なお、データ入力判定部１０については後述する。
【００６６】
上記通信部７は、外部から通信を介して、電子メール、外部ＰＣに格納されている映像データまたは、ＷＷＷデータ等を受信可能とするものである。
画像表示部１５は、入力されたデータに基づく画像を表示するものである。
【００６７】
処理部２は、携帯電話装置１における各種処理を制御・実行するものである。そして、この処理部２は、拡大表示要求検知部８、ヒンジ回転検知部（表示回転検知手段）９、データ入力判定部（入力データ認識手段）１０、拡大要求表示領域検出部１１、拡大要求ソース判定部１２、画像回転判定部（表示判定手段）１３、および表示制御部１４を備える。
【００６８】
拡大表示要求検知部８は、ユーザからの表示画像の拡大要求を認識するものである。この表示画像の拡大要求とは、ユーザが操作部３によって入力した、画像の拡大を要求する操作指示であって、この指示は制御信号として拡大表示要求検知部８に送信される。拡大表示要求検知部８は、この制御信号を受信した場合、この制御信号に基づいて、表示画像の拡大処理の要求に関する情報を、拡大要求表示領域検出部１１に送信する。なお、表示画像の拡大処理に関する詳細は後述する。
【００６９】
拡大要求表示領域検出部１１は、拡大表示要求検知部８の認識結果に基づき、ユーザが表示の拡大を所望している画像は、どの表示領域に表示されているデータであるのかを特定するものである。この特定結果は、拡大要求ソース判定部１２に送信される。
【００７０】
拡大要求ソース判定部１２は、拡大要求ソース判定部１２の特定結果に基づき、後述するデータ入力判定部１０の認識結果を参照して、表示の拡大が要求されているデータの種類を特定する。なお、このデータの種類とは、例えば、映像データや、ＨＴＭＬ（Hypertext Markup Language）などによって記述されたテキストデータなどの種類のことである。そして、この特定結果は、画像回転判定部１３に送信される。
【００７１】
また、ヒンジ回転検出部９は、本携帯電話装置１のヒンジ部５０２の回転を検知したヒンジ回転検出センサ４の検知結果を受信して、本携帯電話装置１の表示画面がどの方向に回転したかを特定し、その特定結果を画像回転判定部１３に送信するものである。
【００７２】
画像回転判定部１３は、現在表示されている画像を回転処理して表示しなおす必要があるかどうかを判定するものである。この判定結果は、データ入力判定部１０と表示制御部１４とに送信される。
【００７３】
データ入力判定部１０は、チューナ５や通信部７を介して外部から取得したデータ、あるいは記憶部６に格納しているデータを受信して認識するものである。すなわち、どのようなデータを画像表示部１５で表示させるのか認識し、表示制御部１４に送信する。
【００７４】
アラーム処理部１６は、予めユーザによって設定された時間に、所定の画像を表示させるように知らせるものである。
【００７５】
つまり、このアラーム処理部１６は、所定の時間になった場合、特定の表示領域に表示している画像を拡大表示させるときは拡大表示要求検知部８に制御信号を送信する。
また、所定の時間になった場合、単に現在表示している画像のうちいずれか１つだけを表示させるときは、データ入力判定部１０に制御信号を送信する。
なお、この制御信号は、所定の時間であることを告知するとともに、予め画像を表示させる表示領域の情報を含むものである。
【００７６】
あるいは、所定のデータの種類の情報を含む制御信号を、画像回転判定部１３に送信することによって、所定の時間に特定の種類のデータに基づく画像を拡大させて表示させる構成であってもよい。
なお、これらアラーム処理部１６が画像表示のトリガとなる実施例についての詳細な説明は後述する。
【００７７】
表示制御部１４は、データ入力判定部１０から送られてきたデータを適切な表示形式で、画像表示部１５に表示させるものである。この適切な表示形式とは、画像回転判定部１３からの指示に基づいて選択される。また、この表示制御部１４は、図２に示すように、
回転表示制御部１６（回転表示制御手段）、拡大表示制御部１７（拡大表示制御手段・回転表示制御手段）、およびＰＩＰ表示制御部１８を有する。
【００７８】
回転表示制御部１６は、上記画像回転判定部１３からの指示に基づき、表示画面に表示している画像を回転させて表示させる場合、上記データ入力判定部１０から送信されているデータに対して、回転処理を施すものである。
【００７９】
拡大表示制御部１７は、画像回転判定部１３から送信された指示に基づき、表示画面で表示している画像を拡大させて表示させる場合、データ入力判定部１０から送信されているデータに対して、拡大処理を施すものである。この拡大表示制御部１６は、拡大処理によって、表示データの再配置が必要な場合は、表示データを再配置して表示させる。
【００８０】
この再配置とは、拡大処理によって広がった表示領域を利用するために、表示画像の縦横比等を変更することである。なお、この再配置可能なデータは、ハイパーテキスト形式のデータなどに限られることとなり、映像データ等の縦横比が決められているデータは含まれない。
また、この回転表示制御部１６と拡大表示制御部１７とによって回転表示制御手段を構成する。
【００８１】
ＰＩＰ表示制御部１８は、複数のデータに基づく画像を画像表示部１５の画面上に表示可能とするものである。このＰＩＰ表示制御部１８は、ＰＩＰ機能によって複数の表示領域にデータを表示させるように処理を施す。
【００８２】
また、複数の表示領域にデータを表示させる場合、このＰＩＰ表示制御部１８は、それぞれの表示領域に表示されているデータの情報が損なわれないように、それぞれのデータの配置関係を配置し直して表示する制御を行う。
【００８３】
なお、入力されたデータが１つの場合は、ＰＩＰ表示制御部１８は、ＰＩＰ機能を用いずに、表示画面に表示できるサイズに表示データを調節する。この調整は、表示画面の表示可能な表示領域サイズを基に、データの種類によって調整がなされる。例えば、この入力データが映像データであるならば、縦横サイズが決まっているデータであるので、表示領域の縦横比にあわせて表示できるように縮小して表示させる。
【００８４】
ここで、以上のような構成の処理部２に関して、各機能ブロックを実現する構成について説明する。
処理部２内に各機能ブロックが設けられているが、これらの機能ブロックは、例えばＣＰＵ（Central Processing Unit）などの演算手段がＲＯＭ(Read Only Memory)やＲＡＭ(Random Access Memory)などの記録媒体に格納されたプログラムコードを実行することによって実現することができる。また、処理部２の各機能ブロックを実現させるプログラムが格納される記憶部６は、例えばフラッシュＥＥＰＲＯＭなどの不揮発性記憶媒体によって実現可能である。
【００８５】
なお、上記では、各機能ブロックが「ＣＰＵなどの演算手段がＲＯＭやＲＡＭなどの記録媒体に格納されたプログラムコードを実行することで実現される」場合を例にして説明したが、同様の処理を行うハードウェアで実現してもよい。また、処理の一部を行うハードウェアと、当該ハードウェアの制御や残余の処理を行うプログラムコードを実行する上記演算手段とを組み合わせても実現することもできる。
【００８６】
さらに、上記各部材のうち、ハードウェアとして説明した部材であっても、処理の一部を行うハードウェアと、当該ハードウェアの制御や残余の処理を行うプログラムコードを実行する上記演算手段とを組み合わせても実現することもできる。なお、上記演算手段は、単体であってもよいし、装置内部のバスや種々の通信路を介して接続された複数の演算手段が共同してプログラムコードを実行してもよい。
【００８７】
上記演算手段によって直接実行可能なプログラムコード自体、または、後述する解凍などの処理によってプログラムコードを生成可能なデータとしてのプログラムは、当該プログラム（プログラムコードまたは上記データ）を記録媒体に格納し、当該記録媒体を配付したり、あるいは、上記プログラムを、有線または無線の通信路を介して伝送するための通信手段で送信したりして配付され、上記演算手段で実行される。
【００８８】
なお、通信路を介して伝送する場合、通信路を構成する各伝送媒体が、プログラムを示す信号列を伝搬し合うことによって、当該通信路を介して、上記プログラムが伝送される。また、信号列を伝送する際、送信装置が、プログラムを示す信号列により搬送波を変調することによって、上記信号列を搬送波に重畳してもよい。この場合、搬送波の受信側において搬送波を復調することによって信号列が復元される。
【００８９】
一方、上記信号列を伝送する際、送信側の装置において、デジタルデータ列としての信号列をパケット分割して伝送してもよい。この場合、受信側の装置は、受信したパケット群を連結して、上記信号列を復元する。また、送信側が、信号列を送信する際、時分割／周波数分割／符号分割などの方法で、信号列を他の信号列と多重化して伝送してもよい。この場合、受信側の装置は、多重化された信号列から、個々の信号列を抽出して復元する。いずれの場合であっても、通信路を介してプログラムを伝送できれば、同様の効果が得られる。
【００９０】
ここで、プログラムを配付する際の記録媒体は、取外し可能である方が好ましいが、プログラムを配付した後の記録媒体は、取外し可能か否かを問わない。また、上記記録媒体は、プログラムが記憶されていれば、書換え（書き込み）可能か否か、揮発性か否か、記録方法および形状を問わない。記録媒体の一例として、磁気テープやカセットテープなどのテープ、あるいは、フロッピー（登録商標）ディスクやハードディスクなどの磁気ディスク、または、ＣＤ−ＲＯＭや光磁気ディスク（ＭＯ）、ミニディスク（ＭＤ）やデジタルビデオディスク（ＤＶＤ）などのディスクが挙げられる。
【００９１】
また、記録媒体は、ＩＣカードや光カードのようなカード、あるいは、マスクＲＯＭやＥＰＲＯＭ、ＥＥＰＲＯＭまたはフラッシュＲＯＭなどのような半導体メモリであってもよい。あるいは、ＣＰＵなどの演算手段内に形成されたメモリであってもよい。
【００９２】
なお、上記プログラムコードは、上記各処理の全手順を上記演算手段へ指示するコードであってもよいし、所定の手順で呼び出すことで、上記各処理の一部または全部を実行可能な基本プログラム（例えば、オペレーティングシステムやライブラリなど）が既に存在していれば、当該基本プログラムの呼び出しを上記演算手段へ指示するコードやポインタなどで、上記全手順の一部または全部を置き換えてもよい。
【００９３】
また、上記記録媒体にプログラムを格納する際の形式は、例えば、実メモリに配置した状態のように、演算手段がアクセスして実行可能な格納形式であってもよいし、実メモリに配置する前で、演算手段が常時アクセス可能なローカルな記録媒体（例えば、実メモリやハードディスクなど）にインストールした後の格納形式、あるいは、ネットワークや搬送可能な記録媒体などから上記ローカルな記録媒体にインストールする前の格納形式などであってもよい。
【００９４】
また、プログラムは、コンパイル後のオブジェクトコードに限るものではなく、ソースコードや、インタプリトまたはコンパイルの途中で生成される中間コードとして格納されていてもよい。いずれの場合であっても、圧縮された情報の解凍、符号化された情報の復号、インタプリト、コンパイル、リンク、または、実メモリへの配置などの処理、あるいは、各処理の組み合わせによって、上記演算手段が実行可能な形式に変換可能であれば、プログラムを記録媒体に格納する際の形式に拘わらず、同様の効果を得ることができる。
【００９５】
（拡大表示処理の実施例）
ここで、図３および図４を参照して、画像表示部１５で表示されている画像の拡大処理に関する処理ステップの一実施例について説明する。図３（ａ）〜図３（ｃ）は、本携帯電話装置１の画像表示部１５における表示画面例を示しており、２つの表示領域で表示されている画像のうち、どちらかを拡大表示した場合を示す図である。図４は、本携帯電話装置１における、画像の拡大表示にかかる処理ステップを示すフローチャートである。
【００９６】
まず前提として、本携帯電話装置１は、チューナ５で、地上波デジタルテレビジョンの映像データを受信しており、記憶部６から、ＨＴＭＬなどで記述されたテキストデータを読み出しているものとする。
【００９７】
なお、このテキストデータは、通信部７を介して外部から受信することによって、記憶部６に記憶させておくことができる。そして、それぞれのデータは、画像表示部１５において、図３（ａ）に示すように、画面の上部領域に映像データによる映像が、下部領域にテキストが配されるように表示されている。なお、この映像が表示されている領域を第１表示領域３０１とし、テキストが表示されている領域を第２表示領域３０２とする。
【００９８】
また、第１表示領域３０１と第２表示領域３０２とにおける画像の表示は、以下の処理ステップによって行われる。すなわち、まず映像データがチューナ５で受信されると、この映像データは、データ入力判定部１０に送信される。データ入力判定部１０は、このデータがどのような種類のデータであるのか特定し、さらにどの表示領域で表示されるデータであるのかを特定する。
【００９９】
この時点では、本携帯電話装置１には、映像データ以外他のデータの入力が無いため、データ入力判定部１０は、第１表示領域３０１に映像データが表示されるということだけを認識し、このデータを表示制御部１４に送信する。表示制御部１４は、この映像データを画像表示部１５の表示画面のサイズに収まるように調節して、画像表示部１５で表示させる。この表示処理は、表示制御部１４のＰＩＰ表示制御部１８で行われる。
【０１００】
この後、テキストデータが、記憶部６から読み出されると、このデータも、データ入力判定部１０に送信される。
【０１０１】
データ入力判定部１０は、先の映像データの受信と同様に、このテキストデータがどのような種類のデータであって、どこの表示領域に表示されるデータであるのかを特定する。したがって、この場合は、データ入力判定部１０は、テキストデータの入力があり、上記第２表示領域３０２に表示されるデータであると認識する。そして、このテキストデータをＰＩＰ表示制御部１８に送信する。
【０１０２】
この時点で、データ入力判定部１０は、第１表示領域３０１に表示する映像データ、および第２表示領域３０２に表示するテキストデータが、入力データとして入力されているということを認識している。また、ＰＩＰ表示制御部１８は、２つの入力データを受信することにより、それぞれのデータを同一画面上に異なる表示領域で表示させるために、ＰＩＰ機能を用いて、表示処理を行う。
【０１０３】
これら２つのデータの表示領域の配置は、縦横比が規定されている映像データの表示領域を先に特定し、残りの表示領域に後から送信されたテキストデータを表示するように設定されているが、これに限定されるものではない。例えば、予め第１表示領域３０１と第２表示領域３０２とが決められており、これら予め決められた表示領域に、各データに基づく表示がなされるように設定されていてもよい。
【０１０４】
本携帯電話装置１は、上記したような処理ステップによって、図３（ａ）に示すように２つの表示領域で表示されている。
【０１０５】
このような前提において、ユーザが映像データまたはテキストデータのどちらかに対して、拡大表示を要求する処理について説明する。
【０１０６】
まず、ユーザが、操作部３によって、映像データまたはテキストデータの画像のいずれかを拡大表示させる制御信号を送信する。そして、拡大表示要求検知部８が、この制御信号を認識する（ステップＳ１、以下Ｓ１と称する）。この拡大表示要求検知部８によって認識された制御信号は、拡大要求表示領域検出部１１に送信される。
【０１０７】
拡大要求表示領域検出部１１は、この制御信号に基づき、拡大表示が要求されているのが、第１表示領域３０１に表示しているデータであるのか、第２表示領域３０２に表示しているデータであるのかを特定する（Ｓ２）。この拡大を要求する表示領域の選択は、あらかじめユーザによって設定されていてもよい。
【０１０８】
例えば、常に表示画面上において、第１表示領域３０１に表示される画像を拡大するように設定されていてもよいし、表示されている画像の中で、一番小さな表示領域の画像を拡大するように設定されていてもよい。また、キー入力を検知した時点でユーザに対し、どの表示領域にある画像を拡大するのかを問い合わせるように設定されていてもよい。
【０１０９】
また、例えば、この問い合わせの方法としては、表示されている画面の中で拡大表示を要求する表示領域を視覚的に示すために、表示画面上にマーク等が表示されるようになっており、ユーザが選択操作キーを押した時点で、マークが付された表示領域の画像が拡大される画像として選択されるように設定されていてもよい。
【０１１０】
そして、拡大要求表示領域検出部１１は、この特定結果に基づく情報を、拡大要求ソース判定部１２に送信する。
【０１１１】
この拡大要求ソース判定部１２は、拡大要求表示領域検出部１１によって特定された情報に基づき、拡大表示が要求されているデータが、映像データなのかテキストデータなのかデータの種類（ソース）を判定する（Ｓ３）。この判定は、拡大要求表示領域検出部１１において、特定された情報に基づき、拡大要求ソース判定部１２が、データ入力判定部１０の入力データに関する認識結果を参照することで判定できる。なお、この認識結果は、記憶部６にある管理テーブル２０に記録されている。
【０１１２】
例えば、拡大要求表示領域検出部１１が、第１表示領域３０１に表示しているデータに関して拡大するように特定したとする。ここで、本実施例では、データ入力判定部１０は、第１表示領域３０１に表示しているデータが映像データであり、第２表示領域３０２に表示しているデータが、テキストデータであると認識している。
【０１１３】
このため、拡大要求ソース判定部１２は、表示の拡大が要求されているのは、第１表示領域３０１にある映像データであると判定できる。また、拡大要求表示領域検出部１１の特定結果が、第２表示領域３０２である場合は、拡大を要求されているデータが、テキストデータであると、拡大要求ソース判定部１２は判定することとなる。そして、このようにして判定された結果は、画像回転判定部１３に送信される。
【０１１４】
ここで、拡大要求ソース判定部１２が、第１表示領域３０１の映像データを拡大させて表示させるという判定結果を、画像回転判定部１３に送信したとする（Ｓ３において「ＹＥＳ」）。この画像回転判定部１３は、表示されている画像が現在の表示位置では拡大できない場合、表示制御部１４に、この映像データを９０度回転させて、その画像を拡大して表示させるように表示制御部１４に指示する。なお、表示されている画像が現在の表示位置では拡大できない場合とは、例えば、携帯電話装置１の表示画面が縦長であり、拡大を行う画像が映像データに基づく画像の場合である。
【０１１５】
そして、表示制御部１４は、この指示に基づき、画像表示部１５の画面上に表示できるように、映像データの画像を回転させ、そして拡大させる（Ｓ４）。このデータの回転処理と拡大処理は、表示制御部１４の回転表示制御部１６と拡大表示制御部１７とによって行われる。すなわち、画像回転判定部１３の判定結果に基づき、回転表示制御部１６は、映像データを９０度回転させる。このように回転された映像データは、拡大表示制御部１７において、表示画面の表示領域全体に表示できるように、映像データの表示サイズを拡大させる。
【０１１６】
また、どのデータをどの表示制御部（回転表示制御部１６・拡大表示制御部１７・ＰＩＰ表示制御部１８）に送って、データ表示の制御を行うかの選択は、画像回転判定部１３の判定に関する指示に基づくことになる。すなわち、画像回転判定部１３が、映像データを回転させて、拡大表示させると判定した場合、この判定結果に基づく指示は、表示制御部１４に送信されるとともに、データ入力判定部１０にも送信される。
【０１１７】
この指示を受けたデータ入力判定部１０は、ＰＩＰ表示制御部１８に送信していたデータのうち、映像データを回転表示制御部１６に送信する。一方、データ入力判定部１０は、ＰＩＰ表示制御部１８へのテキストデータの送信を停止する。
【０１１８】
このようにデータの拡大処理を行うことによって、映像データは９０度回転され、拡大表示される一方で、テキストデータの表示は非表示となる（Ｓ７）。また、この表示結果は、図３（ｂ）に示すようになる。
【０１１９】
また、拡大が要求されているデータが、第２表示領域３０２のテキストデータである場合（Ｓ３において「ＮＯ」）、画像回転判定部１３は、このデータを回転させないと判定する。そして、画像回転判定部１３は、この判定結果を、表示制御部１４とデータ入力判定部１０とに送信する。
【０１２０】
画像回転判定部１３の判定結果に基づき、表示制御部４では、回転表示制御部１６は起動せず、拡大表示制御部１７が、このテキストデータの拡大処理（領域拡大処理）を行う（Ｓ５）。そして、この拡大処理が施されたデータは、上記したように、データの再配置が行われる。この処理ステップによって、テキストデータの表示は、図３（ｃ）に示すように、拡大処理が施される前では表示画面に現れていなかった情報も表示される。
【０１２１】
また、この場合、データ入力判定部１０は、画像回転判定部１３の判定結果に基づき、ＰＩＰ表示制御部１８に送信しているデータのうち、テキストデータを拡大表示制御部１７に送信する。それとともに、データ入力判定部１０は、ＰＩＰ表示制御部１８に送信している映像データの送信を停止する。このようにして、映像データは非表示となり、テキストデータが拡大された状態で表示される（Ｓ７）。
【０１２２】
このような処理ステップによって、本携帯電話装置１は、データの種類に合わせて、所定の表示領域部に表示されている画像を拡大させることができる。このため、ユーザは、携帯電話装置１の表示画面に表示されている画像が小さいために、その画像の拡大を所望する場合、適切に画像を拡大させて視聴することができる。
【０１２３】
また、本携帯電話装置１は、表示されるデータの種類に応じて、適切に拡大処理がなされた画像を表示させることができる。
【０１２４】
なお、本実施例において、映像データとテキストデータとの入力を例として挙げたが、入力データはこれらに限定されるものではない。例えば、映像データに基づく画像を視聴しているときに、音声データを受信した場合（例えば電話の着信を受けた場合）、本携帯電話装置１は、次のように設定されていてもよい。
【０１２５】
つまり、データ入力判定部１０が、映像データの送信を停止させるとともに、例えば「現在着信中」といった着信を知らせるテキストデータを画像表示部１５の表示領域に全画面表示によって表示させる。一方、データ入力判定部１０は、音声データを音声の生成をおこなう受話部（図示せず）に送信する構成である。
【０１２６】
なお、このとき表示させるテキストデータは、記憶部６に格納されており、データ入力判定部１０によってこのデータは読み出される。また、読み出されるテキストデータの選択は、例えば、データ入力判定部１０が、電話の着信を認識した場合には、記憶部６から所定のテキストデータを読み出すように予め設定されている。
【０１２７】
具体的には、この構成では、データ入力判定部１０が、音声データを受信したと認識した場合、このデータ入力判定部１０は既に受信済みの他のデータがあるかを確認する。そして、その確認において、データ入力判定部１０が他のデータのあることを確認し、他のデータの中に映像データが含まれていると認識した場合、映像データの送信を停止する。
【０１２８】
なお、この認識において、先に受信して表示しているデータが、映像データ以外の場合は、そのデータを停止させない。
【０１２９】
このようにして、本携帯電話装置１は、音声データを受信すると映像データを非表示にすることができる。
【０１３０】
あるいは、本携帯電話装置１は、映像データとテキストデータとを同一画面上に表示している場合において、音声データを受信したとき次のように構成することもできる。
【０１３１】
すなわち、本携帯電話装置１は、音声データを通信部７を介して受信すると、データ入力判定部１０が、画像を表示しているデータのうち、映像データの送信を停止させる。また、一方で他方のテキストデータが表示されている表示領域に関する情報を含む制御信号を拡大表示要求検知部８に送信する。例えば、音声データを受信する前において、第１表示領域３０１に映像データの画像を、第２表示領域３０２にテキストデータの画像を表示しているとする。この場合は、データ入力判定部１０は第２表示領域３０２という情報を含む制御情報を拡大表示要求検知部８に送信する。これ以降のステップは、画像の拡大処理の実施例と同様である。
【０１３２】
このように、本携帯電話装置１は、音声データを受信すると、映像データを非表示としテキストデータを拡大表示することができる。
【０１３３】
したがって、映像データに伴う音声によって、携帯電話装置１に着信に気づかなかったり、通話中に動画の音声が邪魔になったり、というような不具合を解消することができる。
【０１３４】
また、映像データと電子メールのデータとを受信した場合であって、先に映像データを画像表示部１５の表示領域に表示しているとき、データ入力判定部１０は、映像データの送信を停止し、電子メールのデータのみを表示制御部１４に送信して、画像表示部１５において拡大表示するように設定されてもよい。
【０１３５】
この場合、電子メールを受信するまでは、ＰＩＰ表示制御部１８が、ＰＩＰ機能を起動させず、映像データを第１表示領域３０１に合わせて表示させている。そこで、電子メールを受信した場合、データ入力判定部１０は、電子メールのデータを拡大表示制御部１７に送り、ＰＩＰ表示制御部１８に送信している映像データの送信を停止させる。そして、拡大表示制御部１６は、電子メールのデータを拡大処理して画像表示部１５に送信し、画面に拡大して表示させる。
【０１３６】
この電子メールを拡大表示制御部１７に送信するかどうかの判定は、予めデータ入力判定部１０が、電子メールのデータの受信を認識した場合、常に拡大表示制御部１７に送って、拡大表示処理がなされるように設定されていてもよい。
【０１３７】
また、データ入力判定部１０は、電子メールの受信を認識した場合、ユーザに拡大表示をするのかどうか問い合わせて、ユーザからの拡大表示要求を待って、電子メールのデータを拡大表示させるのか決める構成であってもよい。
【０１３８】
また、電子メールを受信した場合、データ入力判定部１０が、先に受信している映像データの送信を停止せずにＰＩＰ機能を起動させて、第１表示領域部３０１に映像データの表示を、第２表示領域部３０２に電子メールの表示を行うように設定されていてもよい。
【０１３９】
また、例えば、地上波テレビジョンの映像データによる画像とテキストデータによる画像を表示部５０１において表示している場合、地上波デジタルテレビジョンの通信状態が悪くなり、映像データを正常に受信できなかった場合、もう一方のテキストデータを拡大させて表示する実施例について説明する。
【０１４０】
すなわち、チューナ５が、テレビ放送データを正常に受信できなかったと認識した場合、その認識結果をデータ入力判定部１０に送信する。データ入力判定部１０は、この認識結果を受信するともう一方の画像のデータ(テキストデータ)の拡大を要求する制御信号を拡大表示要求検知部８に送信する。この送信する制御信号には、テキストデータの表示領域の情報が含まれる。
【０１４１】
データ入力判定部１０から制御信号を受信した拡大表示要求検知部８は、この制御信号に基づき、テキストデータの表示領域の情報を含む制御信号を拡大要求表示領域検出部１１に送信する。以下、上記した拡大処理の処理ステップと同様のステップによって、テキストデータの画像の拡大処理が行われる。
【０１４２】
このように、本携帯電話装置１は、例えば外部からリアルタイムに受信している映像データと、テキストデータとを同一画面で表示している場合において、この映像データの受信状態が悪くなった場合であっても、他方のテキストデータを拡大表示させて視聴することを可能とする。
【０１４３】
また、地上波デジタルテレビジョンの通信状態が悪いため、受信した映像データの視聴が困難または不可能である場合、データ入力判定部１０はその映像データの代わりに、記憶部６に格納されている別のデータを要求するように構成されていてもよい。
【０１４４】
すなわち、チューナ５が、テレビ放送データを正常に受信できなかったと認識した場合、その認識結果をデータ入力判定部１０に送信する。データ入力判定部１０は、この認識結果を受信した場合、記憶部６に対して、別のデータを送信するように要求する。そして、データ入力判定部１０は、記憶部６から別のデータを受信すると、映像データの代わりに、この別のデータを表示制御部１４に送信する。本携帯電話装置１は、このように設定されているため、仮に映像データの受信状態が悪い場合でも、別のデータによる画像を、ユーザに提供できる。また、別の画像が表示されることで、ユーザは、映像データの受信状態が悪いことを知ることもできる。
【０１４５】
（所定時間に所定の画像を表示させる実施例）
さらに、本携帯電話装置１は、ユーザからの入力によって、画像の拡大表示を行うことを可能とする構成であるが、ユーザからの操作入力を受けずに、一定時間の経過後に、画像表示部１５において拡大させた画像を表示させることもできる。
図９および図１０は、本携帯電話装置１の別の実施例を示す図である。
【０１４６】
図１、図９、および図１０に示すように、本携電話装置１は、アラーム処理部１９を備えている。
【０１４７】
本携帯電話装置１が、図１に示す構成の場合は、このアラーム処理部１９は、所定の時間になると携帯電話装置１において所定の画像を表示させるように、データ入力判定部１０に制御信号を送信する。図９に示す構成の場合は、アラーム処理部１９は、この制御信号を拡大表示要求検知部８に送信している。
【０１４８】
また、図１０に示す構成の場合は、アラーム処理部１９は、この制御信号を画像回転判定部１３にこの制御信号を送信している。
ここで、それぞれの場合における実施例について説明する。
【０１４９】
まず、本携帯電話装置１が図１に示す構成の場合について説明する。
この場合では、前提として例えば第１表示領域３０１に映像データの画像が表示され、第２表示領域３０２にテキストデータの画像が表示されている。
【０１５０】
この前提において、所定の時間が経過したときアラーム処理部１９は、所定の時間が経過したことを告知する情報を含む制御信号を、データ入力判定部１０に送信する。この制御信号を受信したデータ入力判定部１０は、第２表示領域３０２に表示しているテキストデータの表示制御部１４への送信を停止し、テキストデータの画像を非表示とする。そして、結果として第１表示領域３０１の映像データの画像のみが、画像表示部１５において表示されることとなる。なお、アラーム処理部１９からの信号には、予め決められた、表示すべきデータの表示領域についての情報が含まれている。そして、データ入力判定部１０は、アラーム処理部１９からの制御信号を受信した場合、この制御信号に基づき、第２表示領域３０２のデータを非表示とするように予め設定されている。
【０１５１】
なお、この実施例において、前提として第１および第２表示領域３０１・３０２それぞれに、映像データおよびテキストデータのそれぞれが表示されているが、この前提に限定されるものではない。例えば、第１表示領域３０１に静止画データの画像が表示され、第２表示領域３０２に映像データの画像が表示されていてもよい。また、本携帯電話装置１には画像が表示されていない前提であってもよい。そして、この場合は、アラーム処理部１９から制御信号を受信したデータ入力判定部１０は、記憶部６に格納されている所定のデータを読み出し第１表示領域３０１に所定のデータの画像を表示する。
【０１５２】
次に、本携帯電話装置１が、図９に示す構成の場合について説明する。
この実施例においても前提として、第１表示領域３０１に映像データの画像が表示され、第２表示領域３０２にテキストデータの画像が表示されているものとする。
【０１５３】
所定の時間が経過すると、アラーム処理部１９は、上記した実施例と同様に予め決められた、表示すべきデータの表示領域に関する情報を含む制御データを拡大表示要求検知部８に送信する。この制御情報を受信した拡大要求検知部８は、制御情報に含まれる表示領域の情報を拡大要求表示領域検出部１１に送信する。これ以降は、画像の拡大表示処理の実施例に示した処理ステップと同様である。そして、結果的に画像表示部１５には、第１表示領域３０１の映像データの画像が９０度回転され拡大表示される。
【０１５４】
次に、本携帯電話装置１が、図１０に示す構成の場合について説明する。
この実施例において、前提として例えば第１表示領域３０１に映像データが表示されており、第２表示領域３０２にテキストデータが表示されているものとする。
【０１５５】
所定の時間が経過すると、アラーム処理部１９は、制御信号を画像回転判定部１３に送信する。この場合、アラーム処理部１９から送信される制御信号には、予め決められた表示すべきデータの種類に関する情報が含まれている。
アラーム処理部１９からの制御信号を画像回転判定部１３が受信した場合、アラーム処理部１９はこの制御信号に基づき、拡大表示すべきデータを回転させて拡大表示させるべきか、そのまま拡大表示させるべきか判定する。例えば、この制御信号に含まれるデータの種類がテキストデータの場合、画像回転判定部１３は、表示領域を拡大させてテキストデータの画像を表示させるように、表示制御部１４に指示を出す。一方で、画像回転判定部１３は、データ入力判定部１０にテキストデータを表示制御部１４の拡大表示制御部１７に送信するように指示する。
【０１５６】
そして、この指示に基づき、拡大表示制御部１７は、データ入力判定部１０から送信されたテキストデータを拡大した表示領域に表示させるようにする。
【０１５７】
このように、本携帯電話装置１は、特にユーザからの拡大要求を受信しなくても、所定時間に、予め設定してある画像を拡大して表示させることができる。したがって、本携帯電話装置１は、例えば、会議開始の時間になると、会議が開始されることをテキストデータの拡大した画像によって知らせることできる。
【０１５８】
（表示画面の回転に応じて画像を回転させる実施例）
さらに、図５〜図８を参照して、本携帯電話装置１の表示部５０１の回転に応じて、画像を回転させる一実施例について説明する。
図５（ａ），（ｂ）は、表示部５０１が回転可能である携帯電話装置１の一実施例を示す図である。
図６は、表示画面の移動に応じて、画像を回転させる処理を示すフローチャートである。
図７は、表示部５０１が回転可能である携帯電話装置１の別の一実施例を示す図である。
図８（ａ）〜（ｃ）は、表示部５０１が回転可能な携帯電話装置１において、２つの表示領域で表示されている画像のうち、どちらかを拡大表示した場合を示す図である。
【０１５９】
本携帯電話装置１は、図５（ｂ）に示すように、表示部５０１と本体部５０３とを接合するヒンジ部５０２において、表示部５０１を本体部５０３に向けて折畳み可能となっており、さらにこの表示部５０１が、ヒンジ部５０２を回転軸として回転可能となる構造である。
【０１６０】
また、本携帯電話装置１は、ヒンジ部５０２にヒンジ回転検出センサ４を備えており、表示部５０１の回転を検知して、その検知結果を処理部２に送信する。すなわち、表示部５０１の画面が、図５（ｂ）に示すように、本体部５０３の操作ボタンが搭載されている操作面に対して略垂直となった場合、ヒンジ回転検出センサ４が反応する。
【０１６１】
ところで、図５（ｂ）に示すように、表示部５０１が回転することによって、表示画面は、移動前において表示画面の右側部であった部分が、移動後は上底部となる。一方、移動前、左側部であった部分が、下底部となっている。つまり、この表示部５０１の移動によって、表示される画像は、略９０度、時計回転の逆向きに回転した状態で表示されることとなる。
【０１６２】
ここで、図６を参照して、表示部５０１の移動（回転）に応じて、画像を回転させる処理についてのステップを説明する。
【０１６３】
まず、前提として、表示画面の第１表示領域３０１には映像データの画像が表示されており、第２表示領域３０２にはテキストデータの画像が表示されているものとする。各表示領域に対するこれら画像の表示処理については上記で説明したとおりである。
【０１６４】
このような前提において、表示部５０１がヒンジ部５０２を介して回転し、図５（ｂ）に示すように移動した場合、ヒンジ回転検出センサ４は、表示部５０１の移動を検知する（Ｓ８）。そして、ヒンジ回転検出センサ４は、この検知信号をヒンジ回転検出部９に送信する。
【０１６５】
ヒンジ回転検出センサ４からこの検知信号を受信した、ヒンジ回転検出部９は、表示部５０１の表示画面が略９０度、左回転したことを認識し、その認識結果を拡大要求ソース判定部１２に送信する。そして、拡大要求ソース判定部１２は、この認識結果を受信すると、管理テーブル２０を参照して現在表示されている画像のデータの種類を特定する。そして拡大要求ソース判定部１２は、この特定した結果と表示画面が略９０度回転しているという情報とを含む情報を回転判定部１３に送信する。
【０１６６】
この情報を受信した画像回転判定部１３は、表示画面に表示されている画像を、略９０度回転させて表示するように判定する（Ｓ９）。そして、この判定は、画像回転判定部１３から表示制御部１４に送信される。
【０１６７】
画像回転判定部１３から受信した指示に基づき、表示制御部１４は、ＰＩＰ表示制御部１８で、表示されている各画像の再配置が行われる。すなわち、現時点では、ＰＩＰ表示制御部１８は、縦長の画面に各画像が表示されるように制御されている。しかし、ＰＩＰ表示制御部１８が、この検知信号に基づく画像の回転指示を受信した場合、各第１・第２表示領域部３０１・３０２が、配置しなおされる。つまり、それぞれの表示領域部が、９０度時計回りに回転した位置に表示されるように、配置しなおされる。（Ｓ１０）
なお、各表示領域の表示位置が変更されるため、各表示領域における縦横比も変わる。このため、ＰＩＰ表示制御部は、映像データ・テキストデータそれぞれを、表示位置の変更後の縦横サイズに合わせて、表示するように調整する。
【０１６８】
このようにして、表示部５０１の移動を検知して表示画面における画像の表示位置を変更させることができる。
【０１６９】
次に、ヒンジ回転検知部９が、表示部５０１の移動を検知すると自動的に表示している画像の中から所定の画像を選択して拡大し表示させる実施例について説明する。
【０１７０】
ここで、表示部５０１が、図５に示すように、図５（ａ）から図５（ｂ）の状態に移動したとする。このように表示部５０１が移動した場合、上記したようにヒンジ回転検出センサ４が、表示部５０１の移動を検知して、その検知信号をヒンジ回転検知部９に送信する。そして、ヒンジ回転検知部９は、その検知信号を認識し、その認識結果を拡大要求ソース判定部１２に送信する。ここで、本携帯電話装置１は、予めヒンジ回転検出センサ４が、表示部５０１の回転を検知した場合どの表示領域の画像を拡大処理させるか設定されている。
【０１７１】
このため、拡大要求ソース判定部１２は、拡大表示すべき画像のデータに関してどのような種類のデータであるのかを、データ入力判定部１０の認識結果に基づいて特定することができる。そして、拡大要求判定部１２は、この特定結果を画像回転判定部１３に送信する。
【０１７２】
ここで、拡大処理を所望する表示領域に表示されている画像のデータが、例えば映像データのように縦横比のサイズが決まったデータである場合、この画像回転判定部１３は、表示制御部１４に、表示されている画像を９０度右回転させて、表示領域のサイズにあわせて拡大させる。このときの拡大された表示領域における画像は、図８（ｂ）となる。
【０１７３】
また、拡大処理を所望する表示領域に表示されている画像のデータが、例えば、テキストデータの場合も、この画像回転判定部１３は、表示制御部１４に、表示されている画像を９０度右回転させて、表示領域のサイズにあわせて拡大させる。ただし、テキストデータの場合は、拡大された領域に合わせて、テキストを構成する文字の行数や桁数を変更させて再配置しなおして表示する。このときの拡大された表示領域における画像は、図８（ｃ）に示すように、表示される。
なお、表示制御部１４による画像に対する拡大処理についての詳細は、上記した拡大処理と同じであるため省略する。
【０１７４】
このような処理ステップによって、本携帯電話装置１は、表示部５０１が図５（ａ）の状態から図５（ｂ）の状態に移動した際、その移動をセンサで自動的に検知し、表示されている画像のうち、所望される表示領域の画像を適切に拡大表示させることができる。
【０１７５】
ここで、表示部５０１の移動について、図５（ａ）の状態から図５（ｂ）の状態に変化する携帯電話装置１を例にあげて説明してきた。しかし、表示部５０１の移動は、これに限定されるものではなく、例えば図７に示す携帯電話装置１のように移動するものであってもよい。すなわち、本携帯電話装置１の表示部５０１と本体部５０３とが、図７（ａ）に示すように、これらの接合部分において上下に重なるように、ヒンジ部５０２（図７において不図示）を介して接続されている。また、表示部５０１は、このヒンジ部によって、図７（ｂ）に示すように回転可能となっている。
【０１７６】
このような構成の場合においても、ヒンジ回転検出センサ４が、ヒンジ部５０２の回転をすることで、上記で説明したように、表示画面の移動に合わせて、画像の表示を行うことができる。
【０１７７】
また、上記において、本実施の形態にかかる表示装置は、本携帯電話装置１に搭載された表示装置として説明してきたが、これに限定されるものではない。例えば、この表示装置は、パソコンなどに備えられたモニタや、セキュリティシステムにおける監視モニタであってもよい。すなわち、この表示装置がこれらのモニタとして用いられた場合であっても、この表示装置は、表示させるデータの種類に応じて、拡大処理を施すことが可能であり、表示部５０１の移動をヒンジ回転検出センサ４によって検知し、その移動に合わせて、画像を適切に表示できる。また、ＰＩＰ機能を利用して同一画面上に複数の画像を表示させることも可能である。
【０１７８】
また、表示部５０１が縦長サイズの表示画面が移動（回転）して、横長サイズの位置に配置される場合だけでなく、横長サイズの表示画面が移動して、縦長サイズの位置に配置される場合も同様に、データの種類に応じて適切に多画面表示、拡大表示、および回転表示が可能である。
【産業上の利用可能性】
【０１７９】
本表示装置は、多様な種類（ソース）のデータの入力に基づいて、画像を同一画面上の複数の表示領域に表示する監視モニタ、ＰＣのモニタなどの用途にも適用できる。
【図面の簡単な説明】
【０１８０】
【図１】本携帯電話装置の要部構成を示すブロック図である。
【図２】処理部における、表示制御部の要部構成を示すブロック図である。
【図３】同図３（ａ）〜（ｃ）は、本携帯電話装置における表示画面例を示す図であり、同図（ａ）は、同一画面上に映像データの画像とテキストデータの画像とが表示されている画面例を示しており、（ｂ）は、映像データの画像を回転させて拡大させて表示させた画面例を示しており、（ｃ）は、拡大させた表示領域にテキストデータを表示させた画面例を示している。
【図４】本携帯電話装置における、画像の拡大表示にかかる処理ステップを示すフローチャートである。
【図５】同図（ａ）・（ｂ）は、表示部が回転可能である携帯電話装置の一実施例を示す図であり、同図（ａ）は、通常の使用状態にある携帯電話装置を示しており、同図（ｂ）は、本体部の操作面と表示部の画面とが略垂直となるように表示部を本体部に対して折り曲げ、回転させた状態にある携帯電話装置を示している。
【図６】表示画面の移動に応じて、画像を回転させる処理を示すフローチャートである。
【図７】同図（ａ）・（ｂ）は、表示部が回転可能である携帯電話装置の他の一実施例を示す図であり、同図（ａ）は、通常の使用状態にある携帯電話装置を示しており、同図（ｂ）は、本体部の操作面と表示部の画面とが同一方向を維持したまま、表示部と本体部との接合部分が略垂直に交わるように表示部を回転させた状態にある携帯電話装置を示している。
【図８】表示部が回転可能な携帯電話装置において、２つの表示領域で表示されている画像のうち、どちらかを拡大表示した場合を示す図である。
【図９】本携帯電話装置の別の実施例に係る要部構成を示す図である。
【図１０】本携帯電話装置の別の実施例に係る要部構成を示す図である。
【図１１】従来技術を示すものであり、表示装置の要部構成を示すブロック図である。
【符号の説明】
【０１８１】
２    処理部
４    ヒンジ回転検出センサ
５    チューナ（受信状態検知手段）
６    記憶部
８    拡大表示要求検知部（画像選択検知手段）
９    ヒンジ回転検知部（表示回転検知手段）
１０  データ入力判定部（入力データ認識手段）
１１  拡大要求表示領域検出部
１２  拡大要求ソース判定部
１３  画像回転判定部（表示判定手段）
１４  表示制御部（表示制御手段）
１５  画像表示部
１６  回転表示制御部（回転表示制御手段）
１７  拡大表示制御部（拡大表示制御手段・回転表示制御手段）
１８  ＰＩＰ表示制御部
１９  アラーム処理部（アラーム処理手段）
２０  管理テーブル
５０１  表示部
５０２  ヒンジ部
５０３  本体部
【図１】
2005156627.tif 000003
【図２】
2005156627.tif 000004
【図３】
2005156627.tif 000005
【図４】
2005156627.tif 000006
【図５】
2005156627.tif 000007
【図６】
2005156627.tif 000008
【図７】
2005156627.tif 000009
【図８】
2005156627.tif 000010
【図９】
2005156627.tif 000011
【図１０】
2005156627.tif 000012
【図１１】
2005156627.tif 000013